(57)【要約】【課題】記録紙の種類に応じて、画像形成部で形成されたトナー像を所望の転写倍率にて被転写媒体に転写させることを可能にする。【解決手段】画像データに基づいて画像を形成する画像形成部２０と、画像形成部２０にて形成された画像を担持させる中間転写ベルト６と、中間転写ベルト６を駆動させる中間転写ベルト駆動部２５と、中間転写ベルト６に担持させた画像を記録紙に転写する二次転写部７と、前記記録紙に転写された画像を定着させる定着部８と、前記記録紙を反転させて二次転写部７に搬送するための反転経路２７と、反転経路２７を通った記録紙に転写する画像を画像形成部２０から中間転写ベルト６に転写する際に、当該中間転写ベルト６の線速を制御するために中間転写ベルト駆動部２５の動作を制御する制御部１８とを備える。【選択図】  図２
2005043618.tif 000002
【特許請求の範囲】
【請求項１】
像担持体からトナー像を被転写媒体へ転写させ、定着させる画像形成装置において、
画像倍率を変化させる場合に被転写媒体の移動速度を変化させることを特徴とする画像形成装置。
【請求項２】
像担持体からトナー像を被転写媒体へ転写させる画像形成装置において、
画像データに基づいて前記像担持体上にトナー像を形成する画像形成部と、
前記画像形成部にて形成された画像を担持させる被転写媒体を移動させる被転写媒体移動手段と、
前記被転写媒体にトナー像を転写する際に、前記被転写媒体の移動速度を変化させて、前記トナー像の転写倍率を変化させるように前記被転写媒体移動手段を制御する制御部と
を備えた画像形成装置。
【請求項３】
前記被転写媒体の移動速度を変化させる場合に、像担持体の回転速度を変化させずに一定の速度を保持することを特徴とする請求項２に記載の画像形成装置。
【請求項４】
前記像担持体上への画像形成を行っているときに、前記被転写媒体の移動速度を変化させることを特徴とする請求項２または３に記載の画像形成装置。
【請求項５】
前記被転写媒体の移動速度が、被転写媒体の種類によって決定されることを特徴とする請求項２〜４のいずれか一項に記載の画像形成装置。
【請求項６】
前記被転写媒体を検出する被転写媒体検出部を設けたことを特徴とする請求項５に記載の画像形成装置。
【請求項７】
像担持体からトナー像を被転写媒体へ転写させ、記録紙の両面に画像を形成して定着させる画像形成装置において、
画像データに基づいて画像を形成する画像形成部と、
前記画像形成部にて形成された画像を担持させる前記被転写媒体としての像担持体ベルトと、
前記像担持体ベルトを駆動させる像担持体ベルト駆動部と、
前記像担持体ベルトに転写されたトナー像を記録紙に転写する転写部と、
前記記録紙に転写された画像を定着させる定着部と、
前記記録紙を反転させて前記転写部に搬送する反転経路と、
前記反転経路を通った記録紙に転写する画像を前記画像形成部から前記像担持体ベルトに転写する際に、表面に転写する画像を前記画像形成部から前記像担持体ベルトに転写するときよりも当該像担持体ベルトの移動速度を遅くするように前記像担持体ベルト駆動部の動作を制御する制御部と
を備えた画像形成装置。
【請求項８】
前記像担持体ベルトの線速を変化させる場合に、像担持体の回転速度を変化させずに一定の速度を保持することを特徴とする請求項７に記載の画像形成装置。
【請求項９】
前記像担持体上への画像形成を行っているときに、前記像担持体ベルトの移動速度を変化させることを特徴とする請求項７または８に記載の画像形成装置。
【請求項１０】
前記像担持体ベルトの移動速度が、記録紙の種類によって決定されることを特徴とする請求項７〜９のいずれか一項に記載の画像形成装置。
【請求項１１】
前記記録紙を検出する記録紙検出部を設けたことを特徴とする請求項１０に記載の画像形成装置。
【発明の詳細な説明】
【０００１】
【発明の属する技術分野】
本発明は、画像形成装置に係り、特に記録紙の両面に画像を形成して定着させる画像形成装置に関する。
【０００２】
【従来の技術】
通常、複写機等の画像形成装置は、操作部を操作することによって設定された転写倍率で原稿画像を記録紙に転写するようになっている。
【０００３】
この画像形成装置は、原稿画像を読み取る画像読取部より送られる画像データを感光体ドラムなどの像担持体に静電潜像を形成し、この静電潜像に帯電トナーを付着させて顕像化させ、このトナー像を記録紙に転写した後に、定着ユニットにて加熱しながら加圧して定着させるようになっている。
【０００４】
ところで、記録紙は、定着ユニットにて加熱および加圧される際に、含水率が下がり、あるいは熱収縮が生じて、寸法変化が生じる。さらに、この寸法変化に伴って記録紙上に形成された原稿画像も収縮するため、設定転写倍率と記録紙上の原稿画像の倍率とに誤差が生じる。
【０００５】
特許文献１には、記録紙の種類に関わりなく、設定転写倍率と記録紙上の原稿画像の倍率とを正確、かつ、自動的に一致させる画像形成装置が提案されている（段落［０００８］）。
【０００６】
【特許文献１】
特開平６−３３２２７５号公報
【０００７】
【発明が解決しようとする課題】
ところで、記録紙の種類が多様になってきている昨今では、記録紙の種類により含水率の低下および熱収縮の程度は異なる。また、熱収縮に関しては、記録紙上では用紙の搬送方向だけではなくて、この搬送方向に垂直な方向にも生じる。一方で、両面画像の出力時間を短縮したいという要求もある。
【０００８】
特許文献１には、記録紙の種類によって、転写倍率を変動させるという技術が記載も示唆もされておらず、記録紙の種類によっては、実際に生じる寸法誤差に対応させて転写倍率を変動させることができない場合がある。さらに、両面画像の出力時間を短縮するという技術は開示されていない。
【０００９】
そこで、本発明は上述した実情に鑑みてなされたものであり、記録紙の種類に応じて、画像形成部で形成されたトナー像を所望の転写倍率にて被転写媒体に転写させることを可能とする画像形成装置、特にトナー画像の記録紙の両面への転写倍率を一致させることを可能にする画像形成装置を提供することを目的としている。
【００１０】
【課題を解決するための手段】
以上の課題を解決するため、請求項１に記載の発明に係る画像形成装置は、像担持体からトナー像を被転写媒体へ転写させ、記録紙の両面に画像を形成して定着させる画像形成装置において、
画像倍率を変化させる場合に被転写媒体の移動速度を変化させることを特徴としている。
【００１１】
請求項１に記載の発明によれば、画像形成部で形成されたトナー像を所望の転写倍率にて被転写媒体に転写させることが可能になる。
【００１２】
請求項２に記載の発明に係る画像形成装置は、像担持体からトナー像を被転写媒体へ転写させる画像形成装置において、
画像データに基づいて前記像担持体上にトナー像を形成する画像形成部と、
前記画像形成部にて形成された画像を担持させる被転写媒体を移動させる被転写媒体移動手段と、
前記被転写媒体にトナー像を転写する際に、前記被転写媒体の移動速度を変化させて、前記トナー像の転写倍率を変化させるように前記被転写媒体移動手段を制御する制御部と
を備える。
【００１３】
請求項２に記載の発明によれば、像担持体上には、画像形成部にて作成された画像に基づいて、トナー像が形成され、このトナー像が被転写媒体に転写される。この被転写媒体としては、中間転写ベルトなどの像担持体ベルト、中間転写ドラムのような像担持体ドラム、記録紙が挙げられる。像担持体ベルトの場合は被転写媒体移動手段がベルト駆動部となり、また像担持体ドラムの場合は被転写媒体移動手段がドラム駆動部となり、また記録紙の場合は被転写媒体移動手段が搬送ベルトおよびベルト駆動部となる。
【００１４】
ここで、前記被転写媒体にトナー像を転写する際に、制御部により被転写媒体移動手段を制御して、前記被転写媒体の移動速度を変化させる。これにより、被転写媒体上へのトナー像の転写倍率を変化させることができ、画像形成部で形成されたトナー像を所望の転写倍率にて被転写媒体に転写させることが可能になる。
【００１５】
請求項３に記載の発明は、請求項２に記載の発明において、前記被転写媒体の移動速度を変化させる場合に、像担持体の回転速度を変化させずに一定の速度を保持することを特徴としている。
【００１６】
請求項３に記載の発明によれば、像担持体が一定速度で動く場合、その速度の絶対値は画像倍率に寄与しなくなるため、トナー像転写時における被転写媒体の移動速度を変えるだけで、トナー像の転写倍率を変化させることができるようになり、形成される画像の倍率の制御が容易になる。
【００１７】
請求項４に記載の発明は、請求項２または３に記載の発明において、前記像担持体上への画像形成を行っているときに、前記被転写媒体の移動速度を変化させることを特徴としている。
【００１８】
請求項４に記載の発明によれば、像担持体上への画像形成、例えば画像書込、現像などを行っているときに、被転写媒体の移動速度を速めることで、両面画像の出力時間を短縮することが可能になる。
【００１９】
請求項５に記載の発明は、請求項２〜４のいずれか一項に記載の発明において、前記被転写媒体の移動速度が、被転写媒体の種類によって決定されることを特徴としている。
【００２０】
請求項５に記載の発明によれば、前記被転写媒体を移動させるときの速度が、被転写媒体の種類によって決定されるようにすることで、被転写媒体の種類に応じて、画像形成部で形成されたトナー像の被転写媒体への転写倍率を変化させることが可能になる。
【００２１】
請求項６に記載の発明は、請求項５に記載の発明において、前記被転写媒体を検出する被転写媒体検出部を設けたことを特徴としている。
【００２２】
請求項６に記載の発明によれば、被転写媒体検出部にて被転写媒体の種類を検出し、この検出結果を被転写媒体の移動速度の決定に反映させることが可能になる。これにより、より効果的に請求項２に記載の効果を得ることができるようになる。
【００２３】
請求項７に記載の発明に係る画像形成装置は、像担持体からトナー像を被転写媒体へ転写させ、記録紙の両面に画像を形成して定着させる画像形成装置において、
画像データに基づいて画像を形成する画像形成部と、
前記画像形成部にて形成された画像を担持させる前記被転写媒体としての像担持体ベルトと、
前記像担持体ベルトを駆動させる像担持体ベルト駆動部と、
前記像担持体ベルトに転写されたトナー像を記録紙に転写する転写部と、
前記記録紙に転写された画像を定着させる定着部と、
前記記録紙を反転させて前記転写部に搬送する反転経路と、
前記反転経路を通った記録紙に転写する画像を前記画像形成部から前記像担持体ベルトに転写する際に、表面に転写する画像を前記画像形成部から前記像担持体ベルトに転写するときよりも当該像担持体ベルトの移動速度を遅くするように前記像担持体ベルト駆動部の動作を制御する制御部と
を備える。
【００２４】
請求項７に記載の発明によれば、画像形成部にて作成された画像は、像担持体ベルトに一次転写されて担持されて、この担持された画像が転写部にて記録紙に転写される。その後記録紙が定着部に搬送されて加熱、加圧処理がなされ、画像が記録紙に定着して、反転経路に送られる。この反転経路にて、記録紙は反転されて転写部に送られる。転写部における二度目の転写は、最初に画像が定着した面（「表面」という）の裏側の面（「裏面」という）に行われ、転写された画像が定着部にて定着する。このように両面に印刷がなされた記録紙が排出される。
【００２５】
その後、記録紙が定着部に搬送されて加熱、加圧処理がなされ、画像が記録紙に定着して、反転経路に送られる。記録紙は、この反転経路にて反転されて、転写部に送られる。転写部における二度目の転写は、最初に画像が定着した面（「表面」という）の裏側の面（「裏面」という）に行われ、転写された画像が定着部にて定着する。このように両面に印刷がなされた記録紙が排出される。
【００２６】
記録紙の裏面に転写する画像を画像形成部から像担持体ベルトに担持させるとき、当該記録紙の表面に転写する画像を前記像担持体ベルトに担持させる際に当該像担持体ベルトを駆動させたよりも遅い移動速度で当該像担持体ベルトを走行させるように、制御部にて像担持体ベルト駆動部が制御される。
【００２７】
このようにすることで、裏面印刷用の画像は表面印刷用の画像よりも縮尺が小さくなる。したがって、表面の印刷が終わり定着部にて画像を定着させた記録紙がこの定着部にて加熱、加圧処理を受けた際に縮んで、記録紙の寸法変化および印刷された表面画像の倍率に変化が生じていても、裏面印刷の印刷倍率を表面画像の印刷倍率と一致させることが可能になる。
【００２８】
請求項８に記載の発明は、請求項７に記載の発明において、前記像担持体ベルトの移動速度を変化させる場合に、像担持体の回転速度を変化させずに一定の速度を保持することを特徴としている。
【００２９】
請求項８に記載の発明によれば、像担持体が一定速度で動く場合、その速度の絶対値は画像倍率に寄与しなくなるため、像担持体ベルトの移動速度を変えるだけで画像倍率を変化させることができるようになり、画像倍率の制御が容易になる。
【００３０】
請求項９に記載の発明は、請求項７または８に記載の発明において、前記像担持体上への画像形成を行っているときに、前記像担持体ベルトの移動速度を変化させることを特徴としている。
【００３１】
請求項９に記載の発明によれば、像担持体上への画像形成、例えば画像書込、現像などを行っているときに、像担持体ベルトの移動速度を速めることで、両面画像の出力時間を短縮することが可能になる。
【００３２】
請求項１０に係る発明は、請求項７〜９のいずれか一項に記載の発明において、前記像担持体ベルトを駆動させるときの線速が、記録紙の種類によって決定されることを特徴としている。
【００３３】
請求項１０に記載の発明によれば、前記像担持体ベルトを駆動させるときの線速が、記録紙の種類によって決定されるようにすることで、記録紙の種類に応じて、画像形成部で形成されたトナー像の記録紙の両面への転写倍率を一致させることが可能になる。
【００３４】
請求項１１に記載の発明は、請求項１０に記載の発明において、前記記録紙を検出する記録紙検出部を設けたことを特徴としている。
【００３５】
請求項１１に記載の発明によれば、記録紙検出部にて印刷する記録紙の種類を検出し、この検出結果を像担持体ベルトの線速の決定に反映させることが可能になる。これにより、より効果的に請求項７に記載の効果を得ることができるようになる。
【００３６】
【発明の実施の形態】
以下、本発明の実施形態を図１から図３を参照して説明する。
図１は本発明に係る画像形成装置の実施の一形態を示したもので、この画像形成装置１は、カラー画像形成装置であって、画像形成装置１本体内に、原稿を光学的に走査して原稿画像を読み取って画像データを形成する画像読取部２と、当該画像読取部２よりの画像データに基づいて、各々表面にトナー像が形成される像担持体としての感光体３Ｙ，３Ｍ，３Ｃ，３Ｋと、この感光体３Ｙ，３Ｍ，３Ｃ，３Ｋに対してトナー像を形成するための現像装置４Ｙ，４Ｍ，４Ｃ，４Ｋと、この現像装置４Ｙ，４Ｍ，４Ｃ，４Ｋの各々で形成されたトナー像を、当該感光体３Ｙ，３Ｍ，３Ｃ，３Ｋを圧接する圧接用ローラ５Ｙ，５Ｍ，５Ｃ，５Ｋによって一次転写して担持する被転写媒体であり、かつ、被転写媒体ベルトである中間転写ベルト６と、当該中間転写ベルト６の表面に形成された一次転写トナー像を記録紙の表面に転写する二次転写部７と、記録紙の表面に転写された二次転写トナー像を定着させるための加熱ローラおよび加圧ローラを有する定着部８と、記録紙を搬送する搬送経路と、可視画像形成が完了した記録紙を排出する排出ローラ１５が備えられた排出口９と、内部下方に設けられた記録紙を収納する記録紙用カセット１０ａ，１０ｂ，１０ｃとを備える。
【００３７】
また、記録紙用カセット１０ａ，１０ｂ，１０ｃの一端部上側には、画像を記録紙を一枚ずつ記録紙用カセット１０ａ，１０ｂ，１０ｃから取り出す取出ローラ１３がそれぞれ設けられている。また、取出ローラ１３から二次転写部７への搬送経路上には、記録紙の種類を検出する記録紙検出部１６が設けられている。
【００３８】
また、感光体３Ｙ，３Ｍ，３Ｃ，３Ｋは、例えば複数の支持ローラ１１，１１・・・移動可能に支持され、図１において方向Ｘに循環移動するエンドレスベルトよりなる中間転写ベルト６の直線状の下向部分に沿って、当該中間転写ベルト６の循環方向に並列配置されており、これらの感光体３Ｙ，３Ｍ，３Ｃ，３Ｋの各々に対応するよう現像装置４Ｙ，４Ｍ，４Ｃ，４Ｋが配置されている。ここで、現像装置４Ｙによれば黄色のトナー像が形成され、現像装置４Ｍによればマゼンタ色のトナー像が形成され、現像装置４Ｃによればシアン色のトナー像が形成され、現像装置４Ｋによれば黒色のトナー像が形成されるようになっている。
【００３９】
さらに、現像装置４Ｙ，４Ｍ，４Ｃ，４Ｋにそれぞれ対応して、画像読取部２の画像データに基づいて、例えばレーザーダイオード（図示せず）からレーザー光を放射して露光を行うことにより、その表面に静電荷像を形成する像露光部１２Ｙ，１２Ｍ，１２Ｃ，１２Ｋが備えられる。
【００４０】
また、中間転写ベルト６の走行方向であって、二次転写部７より下流側には、この中間転写ベルト６の表面を清掃するための中間転写ベルト用クリーニング部１４が設けられている。
【００４１】
また、定着部８の搬送経路下流側には、排出口９とは別に記録紙を反転させて二次転写部７へ再び搬送するための反転経路２７が設けられ、この反転経路２７上には記録紙の搬送方向の反転を行うための反転ローラ１７が設けられている。
【００４２】
本実施形態における画像記録装置１を制御するための制御装置を示したものであり、この制御装置は、例えば、ＣＰＵ、ＲＯＭ、ＲＡＭ（いずれも図示せず）からなり、ＲＯＭに記録された処理プログラムをＲＡＭに展開してＣＰＵによりこの処理プログラムを実行する制御部１８を有している。
【００４３】
この制御部１８は、前述の処理プログラムに従い、記録紙の種類などを入力するための入力部１９、および像露光部１２Ｙ，１２Ｍ，１２Ｃ，１２Ｋ、現像装置４Ｙ，４Ｍ，４Ｃ，４Ｋ、感光体３Ｙ，３Ｍ，３Ｃ，３Ｋから構成される画像形成部２０、および記録紙検出部１６からの検出結果に基づいて、取出ローラ１３を駆動する取出ローラ駆動部２３、記録紙を搬送する搬送ローラなどからなる搬送経路２２、排紙ローラ１５を駆動する排紙ローラ駆動部２４、中間転写ベルト６を駆動する中間転写ベルト駆動部２５、二次転写部７、定着部８、反転ローラ１７を駆動する反転ローラ駆動部２６の動作を制御するようになっている。
【００４４】
また、制御部１８には、記録紙の種類と、当該記録紙に最適な中間転写ベルト６の移動速度に相当する線速とが対応付けられて蓄積されている参照テーブル２１が接続されている。記録紙に最適な中間転写ベルト６の線速とは、記録紙が定着部８を通過する際に変化する寸法および印刷倍率を考慮して、表面および裏面の画像を形成する際のそれぞれにおける中間転写ベルト６の移動速度に相当する線速をいう。例えば、裏面の画像形成の際における線速が、表面の画像形成の際における線速に対する割合で表される。すなわち、参照テーブル２１では、記録紙検出部１６または入力部１９で特定された記録紙の種類に応じて、最適な中間転写ベルトの線速が取り出されて、制御部１８に送られるようになっている。
【００４５】
次に、本実施形態の作用について説明する。
まず、図１の画像形成装置においては、４つの現像装置４Ｙ，４Ｍ，４Ｃ，４Ｋのすべてが作動されることにより、いわゆるフルカラーのカラー画像を形成することができるとともに、当該４つの現像装置４Ｙ，４Ｍ，４Ｃ，４Ｋのうちの１つである現像装置４Ｋを選択的に用いることにより、例えば黒色のトナーのみによりモノクロ画像を形成することができる。
【００４６】
すべての現像装置４Ｙ，４Ｍ，４Ｃ，４Ｋが作動されてカラー画像を形成する場合には、画像読取部２によって原稿の画像が読み込まれて画像データが得られ、この画像データに基づいて、各々の現像装置４Ｙ，４Ｍ，４Ｃ，４Ｋの像露光部１２Ｙ，１２Ｍ，１２Ｃ，１２Ｋにおいて露光を行うことにより、感光体３Ｙ，３Ｍ，３Ｃ，３Ｋの各々の表面に静電荷像が形成され、この静電荷像の現像が現像装置４Ｙ，４Ｍ，４Ｃ，４Ｋ内のそれぞれの現像器で行われることにより異なる色のトナー像が得られる。なお、感光体３Ｙ，３Ｍ，３Ｃ，３Ｋの表面へのトナー像形成の際に、中間転写ベルト６の線速を通常よりも早くすることが好ましい。これにより、両面印刷の時間が短縮されるようになる。
【００４７】
そして、感光体３Ｙ，３Ｍ，３Ｃ，３Ｋの表面に形成された各々のトナー像を、感光体３Ｙ，３Ｍ，３Ｃ，３Ｋおよびそれぞれ対応する圧接用ローラ５Ｙ，５Ｍ，５Ｃ，５Ｋとの接点で構成される各色に対応する一次転写部において、この順に循環移動する中間転写ベルト６の表面に転写することにより一次転写トナー像が重畳形成される。また、このトナー像が、中間転写ベルト７に転写される際に、感光体３Ｙ，３Ｍ，３Ｃ，３Ｋの回転速度を一定に保つことが好ましい。
【００４８】
一方で、取出ローラ１３により記録紙用カセット１０ａ，１０ｂ，１０ｃから取り出された記録紙は、搬送経路２２を搬送される際に、記録紙検出部１６を通過する。このとき、当該記録紙の種類が検出される。また、記録紙は、中間転写ベルト６と同期した状態で二次転写部７に向けて搬送される。
【００４９】
このようにして中間転写ベルト６の表面に形成された一次転写トナー像は、二次転写部７において搬送された記録紙の表面に二次転写される。その後、表面に二次転写トナー像が転写された記録紙は、定着部８に向かって搬送され、当該定着部８においてトナー像が熱定着されて記録紙の表面に原稿の画像に対応した可視画像が形成される。そして、この可視画像が形成された記録紙は、搬送経路を通って、反転経路２７に送られる。これにより記録紙の表面には、カラー画像が形成される。また、記録紙が分離された後の中間転写ベルト６は、中間転写ベルト用クリーニング部１４を通過することにより、表面に残留しているトナーが除去される。
【００５０】
反転経路２７に送られた記録紙は、反転ローラ１７により、搬送方向が反転されて、二次転写部７に搬送される。このとき、記録紙の裏面が、中間転写ベルト６側に向くようになる。
【００５１】
また、二次転写部７を記録紙の後端が通過した直後に、制御部１８は中間転写ベルト６の線速を下げるように、中間転写ベルト駆動部２５を制御する。記録紙裏面の画像形成を行う際の中間転写ベルト６の線速であるが、前記記録紙検出部１６での検出結果に基づいて決定される。なお、記録紙検出を行わなくても、入力部１９における操作により、記録紙の特定を行っても差し支えない。
【００５２】
図３は定着部８を通過する際に熱収縮などによる寸法変化に伴う印刷画像の収縮率を示すグラフであり、記録紙の種類に応じて、縦倍率が異なることが分かる。そこで、この関係を用いて、記録紙検出部１６での検出結果または入力部１９における入力により記録紙が特定されると、収縮した分だけ中間転写ベルト６の線速も遅くする。例えば、「ＮＥＵ−Ｃ−Ｃ（２５０ｇ）」という記録紙の場合には０．０１％収縮しているため、中間転写ベルト６の線速も０．０１％遅くして、中間転写ベルト６に担持される一次転写トナー像も０．０１％収縮させる。以下に、図３を表で表したものを示す。なお、横倍率は像露光部１２Ｙ，１２Ｍ，１２Ｍ，１２Ｋ、現像装置４Ｙ，４Ｍ，４Ｃ，４Ｋおよび感光体３Ｙ，３Ｍ，３Ｃ，３Ｋで構成される書き込みユニット部分にて調整するようにする。
【００５３】
【表１】
2005043618.tif 000003
【００５４】
そして、裏面印刷時には、二次転写部７で中間転写ベルト６に担持された一次転写トナー像が、記録紙に転写される。このとき、一次転写トナー像が、記録紙の定着部８を通過したときに生じる収縮率に応じて収縮させてあるため、表面印刷により得られた画像と、裏面印刷により得られた画像との倍率が一致するようになる。
【００５５】
その後、表面に二次転写トナー像が転写された記録紙は、定着部８に向かって搬送され、当該定着部８においてトナー像が熱定着されて記録紙の裏面に原稿の画像に対応した可視画像が形成される。これにより記録紙の裏面にも、カラー画像が形成される。また、記録紙が分離された後の中間転写ベルト６は、中間転写ベルト用クリーニング部１４を通過することにより、表面に残留しているトナーが除去される。
【００５６】
両面に印刷された記録紙は、定着部８から排紙ローラ１５により排出口９から外部に排出される。
【００５７】
次に、４つの現像装置４Ｙ，４Ｍ，４Ｃ，４Ｋのうち１つの現像装置のみが作動されてモノクロ画像を形成する場合には、画像読取部２によって原稿の画像が読み込まれた画像データに基づいて、現像装置４Ｋのみにより感光体３１Ｋの表面にトナー像が形成され、一次転写部３５Ｋにおいて一次転写が行われること以外は上述のカラー画像を形成する場合と同様の画像形成プロセスが行われることにより、記録紙の両面に同じ倍率でモノクロ画像が形成される。
【００５８】
以上より、本実施形態によれば、記録紙の裏面に転写する画像を画像形成部２０から中間転写ベルト６に一次転写させて担持させるとき、当該記録紙の表面に転写する画像を中間転写ベルト６に担持させる際に中間転写ベルト６を駆動させたよりも遅い線速で中間転写ベルト６を走行させるように、制御部１８にて中間転写ベルト駆動部２５が制御される。これにより、裏面印刷用の画像は表面印刷用の画像よりも縮尺が小さくなる。したがって、表面の印刷が終わり定着部８にて画像を定着させた記録紙がこの定着部８にて加熱、加圧処理を受けた際に縮んで、記録紙の寸法変化および印刷された表面画像の倍率に変化が生じていても、裏面画像の印刷倍率を表面画像の印刷倍率と一致させることが可能になる。
【００５９】
また、中間転写ベルト６を駆動させるときの線速が、記録紙の種類によって決定されるようにすることで、記録紙の種類に応じて、画像形成部２０で形成されたトナー像の記録紙の両面への転写倍率を一致させることが可能になる。
【００６０】
また、前記記録紙を検出する記録紙検出部１６を設けることで、この記録紙検出部１６にて印刷する記録紙の種類を検出し、この検出結果を中間転写ベルト６の線速の決定に反映させることが可能になる。
【００６１】
以上、本発明の実施形態について説明をしたが、本発明はこれら実施形態に限定されず、本発明の目的を逸脱しない範囲で適宜変更可能であることは言うまでもない。
【００６２】
例えば、被転写媒体として中間転写ベルトを用いた実施形態を示したが、これに限定されることはなく、中間転写ドラムのようなドラム状の被転写媒体を使用してもよい。この場合、被転写媒体移動手段として、中間転写ドラムを回転駆動させるドラム駆動部を用いて、制御部にてこのドラム駆動部の動作を制御して、中間転写ドラムの回転速度を調整して、感光体から中間転写ドラムへの転写倍率を調整する。例えば、転写倍率を下げたい場合には中間転写ドラムの回転速度を下げて、逆に転写倍率を上げたい場合には中間転写ドラムの回転速度を上げるようにする。
【００６３】
また、被転写媒体として中間転写体ではなくて、記録紙を用いて直接当該記録紙にトナー像を転写しても差し支えない。この場合、被転写媒体移動手段として、当該記録紙を搬送するための搬送ベルトおよびこのベルトを駆動するためのベルト駆動部を用いて、制御部にてこのベルト駆動部の動作を制御して、搬送ベルト上の記録紙の移動速度を調整して、感光体から記録紙への転写倍率を調整する。例えば、転写倍率を下げたい場合には搬送ベルトの線速を下げて、着に転写倍率を上げたい場合には搬送ベルトの線速を上げるようにする。
【００６４】
このようにすることで、いずれの場合においても画像形成部で形成されたトナー像を所望の転写倍率にて被転写媒体に転写させることが可能になる。
【００６５】
【発明の効果】
請求項１に記載の発明によれば、画像形成部で形成されたトナー像の記録紙の両面への転写倍率を一致させることが可能になる。
【００６６】
請求項２に記載の発明によれば、被転写媒体にトナー像を転写する際に、制御部により被転写媒体移動手段を制御して、前記被転写媒体の移動速度を変化させることにより、被転写媒体上へのトナー像の転写倍率を変化させることができ、画像形成部で形成されたトナー像を所望の転写倍率にて被転写媒体に転写させることが可能になる。
【００６７】
請求項３に記載の発明によれば、像担持体が一定速度で動く場合、その速度の絶対値は画像倍率に寄与しなくなるため、トナー像転写時における被転写媒体の移動速度を変えるだけで、トナー像の転写倍率を変化させることができるようになり、形成される画像の倍率の制御が容易になる。
【００６８】
請求項４に記載の発明によれば、像担持体上への画像形成、例えば画像書込、現像などを行っているときに、被転写媒体の移動速度を速めることで、両面画像の出力時間を短縮することが可能になる。
【００６９】
請求項５に記載の発明によれば、前記被転写媒体を移動させるときの速度が、被転写媒体の種類によって決定されるようにすることで、被転写媒体の種類に応じて、画像形成部で形成されたトナー像の被転写媒体への転写倍率を変化させることが可能になる。
【００７０】
請求項６に記載の発明によれば、被転写媒体検出部にて被転写媒体の種類を検出し、この検出結果を被転写媒体の移動速度の決定に反映させることが可能になる。これにより、より効果的に請求項２に記載の効果を得ることができるようになる。
【００７１】
請求項７に記載の発明によれば、記録紙の裏面に転写する画像を画像形成部から像担持体ベルトに担持させるとき、当該記録紙の表面に転写する画像を前記像担持体ベルトに担持させる際に当該像担持体ベルトを駆動させたよりも遅い移動速度で当該像担持体ベルトを走行させるように、制御部にて像担持体ベルト駆動部が制御されるようにすることで、裏面印刷用の画像は表面印刷用の画像よりも縮尺が小さくなる。したがって、表面の印刷が終わり定着部にて画像を定着させた記録紙がこの定着部にて加熱、加圧処理を受けた際に縮んで、記録紙の寸法変化および印刷された表面画像の倍率に変化が生じていても、裏面印刷の印刷倍率を表面画像の印刷倍率と一致させることが可能になる。
【００７２】
請求項８に記載の発明によれば、像担持体が一定速度で動く場合、その速度の絶対値は画像倍率に寄与しなくなるため、像担持体ベルトの移動速度を変えるだけで画像倍率を変化させることができるようになり、画像倍率の制御が容易になる。
【００７３】
請求項９に記載の発明によれば、像担持体上への画像形成、例えば画像書込、現像などを行っているときに、像担持体ベルトの移動速度を速めることで、両面画像の出力時間を短縮することが可能になる。
【００７４】
請求項１０に記載の発明によれば、前記像担持体ベルトを駆動させるときの線速が、記録紙の種類によって決定されるようにすることで、記録紙の種類に応じて、画像形成部で形成されたトナー像の記録紙の両面への転写倍率を一致させることが可能になる。
【００７５】
請求項１１に記載の発明によれば、記録紙検出部にて印刷する記録紙の種類を検出し、この検出結果を像担持体ベルトの線速の決定に反映させることが可能になる。これにより、より効果的に請求項７に記載の効果を得ることができるようになる。
【図面の簡単な説明】
【図１】本発明に係る画像形成装置の一実施形態を模式的に示す図である。
【図２】本実施形態における画像形成装置を制御するための制御装置を示したブロック図である。
【図３】本実施形態における記録紙の収縮について説明するグラフである。
【符号の説明】
１  画像形成装置
６  中間転写ベルト
７  二次転写部
８  定着部
１６  記録紙検出部
１７  反転ローラ
１８  制御部
１９  入力部
２０  画像形成部
２５  中間転写ベルト駆動部
２７  反転経路
【図１】
2005043618.tif 000004
【図２】
2005043618.tif 000005
【図３】
2005043618.tif 000006